(57)【要約】【課題】携帯電話用アンテナ１０とＧＰＳアンテナ１６およびＳ−ＢＡＮＤ放送受信用アンテナ１２を１つの筐体内に配設した複合アンテナ装置を提供する。【解決手段】携帯電話用アンテナ１０とＳ−ＢＡＮＤ放送受信用アンテナ１２の間にＧＰＳアンテナ１６を配設して１つの筐体内に設ける。携帯電話用アンテナ１０から送信される各携帯電話用周波数帯域のそれぞれの最大送信電力が、ＧＰＳアンテナ１６およびＳ−ＢＡＮＤ放送受信用アンテナ１２により受信されても、受信信号を増幅するそれぞれの増幅回路が飽和しないアイソレーションが得られる距離以上に、携帯電話用アンテナ１０からＧＰＳアンテナ１６およびＳ−ＢＡＮＤ放送受信用アンテナ１２を離して配設して構成する。【選択図】  図８
2005045335.tif 000002
【特許請求の範囲】
【請求項１】
携帯電話用アンテナとＳ−ＢＡＮＤ放送受信用アンテナを１つの筐体内に備えた複合アンテナ装置であって、前記携帯電話用アンテナから送信される各携帯電話周波数帯域のそれぞれの最大送信電力が、前記Ｓ−ＢＡＮＤ放送受信用アンテナにより受信されても衛星波および地上波の受信信号を増幅するそれぞれの増幅回路が飽和しないアイソレーションが得られる距離以上に、前記携帯電話用アンテナから前記Ｓ−ＢＡＮＤ放送受信用アンテナを離して配設して構成したこと特徴とする複合アンテナ装置。
【請求項２】
携帯電話用アンテナとＧＰＳアンテナとＳ−ＢＡＮＤ放送受信用アンテナを１つの筐体内に備えた複合アンテナ装置であって、前記携帯電話用アンテナと前記Ｓ−ＢＡＮＤ放送受信用アンテナの間に前記ＧＰＳアンテナを配設し、前記携帯電話用アンテナから送信される各携帯電話用周波数帯域のそれぞれの最大送信電力が、前記ＧＰＳアンテナにより受信されても受信信号を増幅する増幅回路が飽和しないアイソレーションが得られる距離以上に、前記携帯電話用アンテナから前記ＧＰＳアンテナを離して配設するとともに、前記Ｓ−ＢＡＮＤ放送受信用アンテナにより受信されても衛星波および地上波の受信信号を増幅するそれぞれの増幅回路が飽和しないアイソレーションが得られる距離以上に、前記携帯電話用アンテナから前記Ｓ−ＢＡＮＤ放送用受信用アンテナを離して配設して構成したことを特徴とする複合アンテナ装置。
【請求項３】
ＡＭＰＳおよびＰＣＳ帯域で用いる携帯電話用アンテナとＳ−ＢＡＮＤ放送受信用アンテナを１つの筐体内に備えた複合アンテナ装置であって、前記携帯電話用アンテナから送信されるＰＣＳ帯域の最大送信電力が、前記Ｓ−ＢＡＮＤ放送受信用アンテナにより受信されても地上波の受信信号を増幅する増幅回路が飽和しないアイソレーションが得られる距離以上に、前記携帯電話用アンテナから前記Ｓ−ＢＡＮＤ放送受信用アンテナを離して配設して構成したことを特徴とする複合アンテナ装置。
【請求項４】
ＡＭＰＳおよびＰＣＳ帯域で用いる携帯電話用アンテナとＧＰＳアンテナとＳ−ＢＡＮＤ放送受信用アンテナを１つの筐体内に備えた複合アンテナ装置であって、前記携帯電話用アンテナと前記Ｓ−ＢＡＮＤ放送受信用アンテナの間に前記ＧＰＳアンテナを配設し、前記携帯電話用アンテナから送信されるＰＣＳ帯域の最大送信電力が、前記ＧＰＳアンテナにより受信されても受信信号を増幅する増幅回路が飽和しないアイソレーションが得られる距離以上に、前記携帯電話用アンテナから前記ＧＰＳアンテナを離して配設するとともに、前記Ｓ−ＢＡＮＤ放送受信用アンテナにより受信されても地上波の受信信号を増幅する増幅回路が飽和しないアイソレーションが得られる距離以上に、前記携帯電話用アンテナから前記Ｓ−ＢＡＮＤ放送用受信用アンテナを離して配設して構成したことを特徴とする複合アンテナ装置。
【請求項５】
請求項２または４記載の複合アンテナ装置において、前記携帯電話用アンテナを、モノポールアンテナで形成するとともに、前記ＧＰＳアンテナと反対側に傾けて立設して構成したことを特徴とする複合アンテナ装置。
【請求項６】
携帯電話用アンテナとＧＰＳアンテナとＳ−ＢＡＮＤ放送受信用アンテナを１つの筐体内に備えた複合アンテナ装置であって、前記携帯電話用アンテナと前記Ｓ−ＢＡＮＤ放送受信用アンテナの間に前記ＧＰＳアンテナを配設し、前記携帯電話用アンテナを、ＡＭＰＳ帯域の１／４波長でＰＣＳ帯域の１／２波長のモノポールアンテナで形成するとともに、前記ＧＰＳアンテナと反対側に垂直方向から３０゜傾けて立設し、前記ＧＰＳアンテナを２０ｍｍ角のセラミックアンテナで形成し、前記携帯電話用アンテナから前記ＧＰＳアンテナの外縁までの間の寸法を３０ｍｍに設定し、前記携帯電話用アンテナから前記Ｓ−ＢＡＮＤ放送受信用アンテナの外縁までの間の寸法を５５ｍｍに設定して構成したことを特徴とする複合アンテナ装置。
【請求項７】
請求項１ないし６記載のいずれかの複合アンテナ装置において、前記筐体内に配設されたいずれのアンテナも、一体的に形成されたカバーで覆われるように構成したことを特徴とする複合アンテナ装置。
【発明の詳細な説明】
【０００１】
【発明の属する技術分野】
本発明は、複数のアンテナを１つの筐体内に配設した複合アンテナ装置に関するものである。
【０００２】
【従来の技術】
近年、特に米国では、車両のルーフに、車内で携帯電話を使用するための携帯電話用アンテナが突設され、またカーナビゲーションシステムのためのＧＰＳアンテナが配設され、さらにはＳ−ＢＡＮＤ放送（シリウスラジオおよびＸＭラジオ）受信用アンテナが配設される傾向にある。そして、従来にあっては、携帯電話用アンテナ単独または携帯電話用アンテナとＧＰＳアンテナの複合アンテナ装置と、Ｓ−ＢＡＮＤ放送受信用アンテナがそれぞれ別個に車両のルーフに設置されていた。
【０００３】
【発明が解決しようとする課題】
上述のごとく、従来は携帯電話用アンテナ単独または携帯電話用アンテナとＧＰＳアンテナの複合アンテナ装置と、Ｓ−ＢＡＮＤ放送受信用アンテナがそれぞれ別個に設置されているので、車両のルーフに２つの突起物が存在することとなり、外観上でデザイン的に望ましいものでない。また、これらの２つのアンテナを設置するために、取り付けに多くの手間を必要としている。
【０００４】
本発明は、上述のごとき従来技術を改善すべくなされたもので、携帯電話用アンテナとＳ−ＢＡＮＤ放送受信用アンテナを１つの筐体内に配設し、または携帯電話用アンテナとＧＰＳアンテナおよびＳ−ＢＡＮＤ放送受信用アンテナを１つの筐体内に配設した複合アンテナ装置を提供することを目的とする。
【０００５】
【課題を解決するための手段】
かかる目的を達成するために本発明の複合アンテナ装置は、携帯電話用アンテナとＳ−ＢＡＮＤ放送受信用アンテナを１つの筐体内に備えた複合アンテナ装置であって、前記携帯電話用アンテナから送信される各携帯電話周波数帯域のそれぞれの最大送信電力が、前記Ｓ−ＢＡＮＤ放送受信用アンテナにより受信されても衛星波および地上波の受信信号を増幅するそれぞれの増幅回路が飽和しないアイソレーションが得られる距離以上に、前記携帯電話用アンテナから前記Ｓ−ＢＡＮＤ放送受信用アンテナを離して配設して構成されている。
【０００６】
そして、携帯電話用アンテナとＧＰＳアンテナとＳ−ＢＡＮＤ放送受信用アンテナを１つの筐体内に備えた複合アンテナ装置であって、前記携帯電話用アンテナと前記Ｓ−ＢＡＮＤ放送受信用アンテナの間に前記ＧＰＳアンテナを配設し、前記携帯電話用アンテナから送信される各携帯電話用周波数帯域のそれぞれの最大送信電力が、前記ＧＰＳアンテナにより受信されても受信信号を増幅する増幅回路が飽和しないアイソレーションが得られる距離以上に、前記携帯電話用アンテナから前記ＧＰＳアンテナを離して配設するとともに、前記Ｓ−ＢＡＮＤ放送受信用アンテナにより受信されても衛星波および地上波の受信信号を増幅するそれぞれの増幅回路が飽和しないアイソレーションが得られる距離以上に、前記携帯電話用アンテナから前記Ｓ−ＢＡＮＤ放送用受信用アンテナを離して配設して構成しても良い。
【０００７】
また、ＡＭＰＳおよびＰＣＳ帯域で用いる携帯電話用アンテナとＳ−ＢＡＮＤ放送受信用アンテナを１つの筐体内に備えた複合アンテナ装置であって、前記携帯電話用アンテナから送信されるＰＣＳ帯域の最大送信電力が、前記Ｓ−ＢＡＮＤ放送受信用アンテナにより受信されても地上波の受信信号を増幅する増幅回路が飽和しないアイソレーションが得られる距離以上に、前記携帯電話用アンテナから前記Ｓ−ＢＡＮＤ放送受信用アンテナを離して配設して構成することができる。
【０００８】
そしてまた、ＡＭＰＳおよびＰＣＳ帯域で用いる携帯電話用アンテナとＧＰＳアンテナとＳ−ＢＡＮＤ放送受信用アンテナを１つの筐体内に備えた複合アンテナ装置であって、前記携帯電話用アンテナと前記Ｓ−ＢＡＮＤ放送受信用アンテナの間に前記ＧＰＳアンテナを配設し、前記携帯電話用アンテナから送信されるＰＣＳ帯域の最大送信電力が、前記ＧＰＳアンテナにより受信されても受信信号を増幅する増幅回路が飽和しないアイソレーションが得られる距離以上に、前記携帯電話用アンテナから前記ＧＰＳアンテナを離して配設するとともに、前記Ｓ−ＢＡＮＤ放送受信用アンテナにより受信されても地上波の受信信号を増幅する増幅回路が飽和しないアイソレーションが得られる距離以上に、前記携帯電話用アンテナから前記Ｓ−ＢＡＮＤ放送用受信用アンテナを離して配設して構成することも可能である。
【０００９】
【発明の実施の形態】
以下、本発明の実施例を図１ないし図１２を参照して説明する。図１は、携帯電話用アンテナとＳ−ＢＡＮＤ放送用アンテナをアイソレーションを測定するために１つの基台に配設した図である。図２は、衛星波受信エレメントにおけるアイソレーションの測定値である。図３は、地上波受信エレメントにおけるアイソレーションの測定値である。図４は、携帯電話用アンテナとＧＰＳアンテナをアイソレーションを測定するために１つの基台に配設した図である。図５は、ＧＰＳアンテナにおけるアイソレーションの測定値である。図６は、携帯電話用アンテナとＧＰＳアンテナの距離ｄ２を３０ｍｍとして、携帯電話用アンテナを垂直に立設した場合のＧＰＳアンテナによるＧＰＳ信号受信の指向特性を示す図である。図７は、携帯電話用アンテナとＧＰＳアンテナの距離ｄ２を３０ｍｍとして、携帯電話用アンテナをＧＰＳアンテナと反対側に３０゜傾けて立設した場合のＧＰＳアンテナによるＧＰＳ信号受信の指向特性を示す図である。図８は、携帯電話用アンテナとＧＰＳアンテナとＳ−ＢＡＮＤ放送受信用アンテナを１つの基台に配設した本発明の実施例の平面図である。図９は、図８の正面図である。図１０は、図８の実施例をカバーで覆った平面図である。図１１は、図１０の正面図である。図１２は、図１０のＡ−Ａ断面矢視図である。
【００１０】
まず、発明者らは、図１で示すごとく、携帯電話用アンテナ１０とＳ−ＢＡＮＤ放送受信用アンテナ１２を、１つの基台１４に配設して、その間の距離ｄ１を種々変更してアイソレーションを測定した。これは、携帯電話用アンテナ１０とＳ−ＢＡＮＤ放送受信用アンテナ１２を１つの筐体内に配設する場合に、実用上で不具合がないように、その間の距離ｄ１をいかなる値に設定するかを判断するのに重要である。ここで、携帯電話用アンテナ１０は、米国で用いられるＡＭＰＳ帯域の１／４波長でＰＣＳ帯域の１／２波長の約６５ｍｍの物理的長さのモノポールアンテナで形成され、基台１４に対して垂直に立設されている。また、Ｓ−ＢＡＮＤ放送受信用アンテナ１２は、特開２００２−１７１１２４号に示されるごとく、衛星波と地上波をともに受信するものであって、その具体的構造は特願２００２−１５６９５３号で出願人が先に提案したものであり、６５ｍｍ角の大きさである。アイソレーションの測定結果は，図２および図３で示すごとく、いずれも８２４〜８９４ＭＨｚのＡＭＰＳ帯域よりも、約２倍の周波数である１８５０〜１９９０ＭＨｚのＰＳＣ帯域に対して、よりアイソレーションが悪いことが認められる。また、衛星波受信用エレメントよりも地上波受信用エレメントで、アイソレーションが悪い傾向にある。
【００１１】
ところで、携帯電話用アンテナ１０をＳ−ＢＡＮＤ放送受信用アンテナ１２に近接させた場合の問題点は、携帯電話用アンテナ１０から送信された信号がＳ−ＢＡＮＤ放送受信用アンテナ１２で受信され、その受信信号で増幅回路が飽和してしまうことにある。そこで、この増幅回路が、携帯電話用アンテナ１０から送信される最大送信電力で飽和しないだけのアイソレーションが得られる距離ｄ１以上に、携帯電話用アンテナ１０からＳ−ＢＡＮＤ放送受信用アンテナ１２が離して配設されなければならない。
【００１２】
一例として、Ｓ−ＢＡＮＤ放送受信用アンテナ１２の衛星波受信エレメントで受信される信号用の増幅回路は、ＡＭＰＳ帯域の入力周波数に対して０ｄＢで飽和し、ＰＣＳ帯域の入力周波数に対して−７．０ｄＢで飽和する。これはＳ−ＢＡＮＤ放送受信用アンテナ１２で受信される衛星波は微弱電波であるために、増幅回路も比較的に小さな電力で飽和する傾向にあるためである。また、Ｓ−ＢＡＮＤ放送受信用アンテナ１２の地上波受信エレメントで受信される信号用の増幅回路は、ＡＭＰＳ帯域の入力周波数に対して１１ｄＢまで許容され、ＰＣＳ帯域の入力周波数に対しては、−１．５ｄＢで飽和する。
【００１３】
携帯電話用アンテナ１０から送信される最大送信電力は、米国にて法規制がなされており、ＡＭＰＳ帯域で３５ｄＢであり、ＰＣＳ帯域で２４ｄＢである。
【００１４】
そこで、携帯電話用アンテナ１０から送信される最大送信電力で、増幅回路が飽和しないために、携帯電話用アンテナ１０とＳ−ＢＡＮＤ放送受信用アンテナ１２の間で必要となるアイソレーションは、衛星波用の増幅回路でＡＭＰＳ帯域に対して３５ｄＢ以上、ＰＣＳ帯域に対しては３１ｄＢ以上である。また、地上波用の増幅回路でＡＭＰＳ帯域に対して２４ｄＢ以上、ＰＣＳ帯域に対して２５．５ｄＢ以上である。
【００１５】
これらの必要とされるアイソレーションを、図２および図３の測定値から求める。衛星波用の増幅回路では、図２から、測定がなされた最小距離ｄ１が３０ｍｍにて、ＡＭＰＳ帯域およびＰＣＳ帯域のいずれもが充分なアイソレーションが得られている。そして、地上波用の増幅回路は、図３から、ＡＭＰＳ帯域では測定がなされた最小距離ｄ１が３０ｍｍでも充分なるアイソレーションが得られるが、ＰＣＳ帯域では距離ｄ１として約４０ｍｍ以上が必要である。よって、携帯電話アンテナ１０とＳ−ＢＡＮＤ放送受信用アンテナ１２の間の距離ｄ１は、４０ｍｍ以上必要であることが確認された。
【００１６】
次に、発明者らは、図４で示すごとく、携帯電話用アンテナ１０とＧＰＳアンテナ１６を、１つの基台１４に配設して、その間の距離ｄ２を種々変更してアイソレーションを測定した。ここで、携帯電話用アンテナ１０は図１の測定に用いたものと同じものであり、ＧＰＳアンテナ１６は、２０ｍｍ角のセラミック基板にパッチアンテナが設けられたセラミックアンテナである。アイソレーションの測定結果は、図５のごときものであった。そして、ＧＰＳアンテナ１６で受信される信号用の増幅回路は、ＡＭＰＳ帯域の入力周波数に対して０ｄＢで飽和し、ＰＣＳ帯域の入力周波数に対して−７．０ｄＢで飽和する。そこで、携帯電話用アンテナ１０とＧＰＳアンテナ１６の間で必要とされるアイソレーションは、ＡＭＰＳ帯域で３５ｄＢ、ＰＣＳ帯域で３１ｄＢである。これを、図５の測定計結果に照らして見れば、測定がなされた最小距離ｄ２の３０ｍｍでともに充分なアイソレーションが得られていることが確認された。
【００１７】
さらに、発明者らは、ＧＰＳアンテナ１６に携帯電話用アンテナ１０を近接して立設した場合に、ＧＰＳ信号を受信するＧＰＳアンテナ１６の指向性につき検討を行った。まず、距離ｄ２を３０ｍｍとして携帯電話用アンテナ１０を垂直に立設してＧＰＳアンテナ１６の指向特性を測定したところ、図６のごとく、無指向性が充分に得られなかった。そこで、携帯電話用アンテナ１０を垂直からＧＰＳアンテナ１６と反対側に３０゜斜めに傾けて立設して、ＧＰＳアンテナ１６の指向特性を測定すると、図７のごとく、ほぼ無指向性が得られた。
【００１８】
発明者らは、上述のごとき測定結果から得られた技術的知識に基づいて、図８および図９に示すごとく、１つの基台１４上に、携帯電話用アンテナ１０とＧＰＳアンテナ１６とＳ−ＢＡＮＤ放送受信用アンテナ１２を順次に配設し、携帯電話用アンテナ１０から、ＧＰＳアンテナ１６の距離ｄ２を３０ｍｍに設定し、Ｓ−ＢＡＮＤ放送受信用アンテナ１２の距離ｄ１を５５ｍｍに設定した。この距離ｄ１を５５ｍｍに設定したのは、ＧＰＳアンテナ１６が２０ｍｍ角であり、このＧＰＳアンテナ１６からの絶縁距離を５ｍｍとしたためである。なお、携帯電話用アンテナ１０に対して、図２と図３および図５の測定結果で、Ｓ−ＢＡＮＤ放送受信用アンテナ１２よりもＧＰＳアンテナ１６を近づけて配設しても充分なアイソレーションが得られることから、携帯電話用アンテナ１０とＳ−ＢＡＮＤ放送受信用アンテナ１２の間にＧＰＳアンテナ１６が配設されている。しかも、携帯電話用アンテナ１０は、ＧＰＳアンテナ１６で無指向性が得られるように、ＧＰＳアンテナ１６とは反対側に３０゜斜めに傾けて立設されている。
【００１９】
かかる構造において、携帯電話用アンテナ１０とＳ−ＢＡＮＤ放送受信用アンテナ１２およびＧＰＳアンテナ１６のそれぞれのアンテナの利得および指向特性を測定したところ、いずれも実用上で充分な結果が得られた。
【００２０】
さらに、図８および図９に示される１つの基台１４に携帯電話用アンテナ１０とＳ−ＢＡＮＤ放送受信用アンテナおよびＧＰＳアンテナ１６が配設されたものが、図１０ないし図１２に示されるごとく、１つの筐体１８内に配設されて複合アンテナが構成される。この筐体１８は、基台１４に配設された複数のアンテナが適宜な誘電率の絶縁樹脂で一体的に形成されたカバー２０で覆われ、しかも基台１４とカバー２０により水密構造が形成されている。このカバー１８は、レドームとしても作用する。そして、基台１４は、取付ボルト２２および取付ナット２４などにより、適宜に車両のルーフなどに配設固定される。
【００２１】
なお、上記実施例では、１つの筐体１８内に携帯電話用アンテナ１０とＧＰＳアンテナ１６およびＳ−ＢＡＮＤ放送受信用アンテナ１２の３つのアンテナを配設したが、１つの筐体１８内に携帯電話用アンテナ１０とＳ−ＢＡＮＤ放送受信用アンテナ１２の２つのアンテナを配設したものであっても良い。そして、ＧＰＳアンテナ１６を省いて、１つの筐体１８内に２つのアンテナを配設する場合には、携帯電話用アンテナ１０にＳ−ＢＡＮＤ放送受信用アンテナ１２を、図８に示す実施例よりも近づけて配設しても良いことは勿論である。また、携帯電話用アンテナ１０は、米国のＡＭＰＳとＰＣＳ帯域に用いられるものに限られず、日本または欧州で用いられる周波数帯域であっても良い。そして、Ｓ−ＢＡＮＤ放送受信用アンテナ１２およびＧＰＳアンテナ１６の携帯電話周波数帯域に対する感度や指向性に応じて、また携帯電話周波数帯域の最大送信電力および当該周波数に対する増幅回路の飽和入力電力などに応じて、アンテナ間の距離を適宜に設定すれば良いことは容易に理解し得るであろう。
【００２２】
【発明の効果】
以上説明したように本発明の複合アンテナ装置は構成されているので、以下のごとき格別な効果を奏する。
【００２３】
請求項１および３記載の複合アンテナ装置にあっては、携帯電話用アンテナとＳ−ＢＡＮＤ放送受信用アンテナを１つの筐体内に配設し、しかも携帯電話用アンテナから送信される最大送信電力が受信されてもＳ−ＢＡＮＤ放送受信用アンテナの増幅回路が飽和しない距離に２つのアンテナを配設しているので、車両のルーフに配設してもその外観を損なうことがなく、また取り付けの手間が簡単であり、しかもＳ−ＢＡＮＤ放送受信に何ら不具合を生じさせることがない。
【００２４】
請求項２と４および６記載のいずれの複合アンテナ装置にあっても、携帯電話とＧＰＳ信号とＳ−ＢＡＮＤ放送を、１つの複合アンテナ装置で送受信でき、車両のルーフに配設されて、その外観を損なうことがなく、また取り付けの手間も簡単であり、しかもＧＰＳ信号およびＳ−ＢＡＮＤ放送受信に何ら不具合がない。
【００２５】
請求項５記載の複合アンテナ装置にあっては、モノポールアンテナで形成した携帯電話用アンテナをＧＰＳアンテナと反対側に傾けて立設したので、ＧＰＳアンテナでほぼ無指向性が得られる。
【００２６】
請求項７記載の複合アンテナ装置にあっては、複数のアンテナが、一体的に形成されたカバーで覆われるので、筐体内に雨水などの浸入を容易に排除する構造とすることができる。
【図面の簡単な説明】
【図１】携帯電話用アンテナとＳ−ＢＡＮＤ放送用アンテナをアイソレーションを測定するために１つの基台に配設した図である。
【図２】衛星波受信エレメントにおけるアイソレーションの測定値である。
【図３】地上波受信エレメントにおけるアイソレーションの測定値である。
【図４】携帯電話用アンテナとＧＰＳアンテナをアイソレーションを測定するために１つの基台に配設した図である。
【図５】ＧＰＳアンテナにおけるアイソレーションの測定値である。
【図６】携帯電話用アンテナとＧＰＳアンテナの距離ｄ２を３０ｍｍとして、携帯電話用アンテナを垂直に立設した場合のＧＰＳアンテナによるＧＰＳ信号受信の指向特性を示す図である。
【図７】携帯電話用アンテナとＧＰＳアンテナの距離ｄ２を３０ｍｍとして、携帯電話用アンテナをＧＰＳアンテナと反対側に３０゜傾けて立設した場合のＧＰＳアンテナによるＧＰＳ信号受信の指向特性を示す図である。
【図８】携帯電話用アンテナとＧＰＳアンテナとＳ−ＢＡＮＤ放送受信用アンテナを１つの基台に配設した本発明の実施例の平面図である。
【図９】図８の正面図である。
【図１０】図８の実施例をカバーで覆った平面図である。
【図１１】図１０の正面図である。
【図１２】図１０のＡ−Ａ断面矢視図である。
【符号の説明】
１０  携帯電話用アンテナ
１２  Ｓ−ＢＡＮＤ放送受信用アンテナ
１４  基台
１６  ＧＰＳアンテナ
１８  筐体
２０  カバー
【図１】
2005045335.tif 000003
【図２】
2005045335.tif 000004
【図３】
2005045335.tif 000005
【図４】
2005045335.tif 000006
【図５】
2005045335.tif 000007
【図６】
2005045335.tif 000008
【図７】
2005045335.tif 000009
【図８】
2005045335.tif 000010
【図９】
2005045335.tif 000011
【図１０】
2005045335.tif 000012
【図１１】
2005045335.tif 000013
【図１２】
2005045335.tif 000014